(57)【特許請求の範囲】
【請求項１】
ブロック誤り訂正符号を用いて伝送されるディジタル信号を受信するディジタル信号受信装置において、
複数のアンテナと、前記複数のアンテナで受信されたディジタル信号を復調して複数のディジタルストリームを作成する複数の復調部と、前記複数のディジタルストリームを同期させるストリーム同期部と、前記複数のディジタルストリーム間で同期するブロックにおいて、
前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有することを特徴とするディジタル信号受信装置。
【請求項２】
前記復調部は、
前記ディジタルストリームと共に、フレーム同期信号、ブロック同期信号、のいずれか１つ以上を出力し、前記ストリーム同期部は、前記フレーム同期信号、前記ブロック同期信号、前記ディジタルストリームのいずれか１つ以上に基づいて、前記複数のディジタルストリームを同期させることを特徴とする請求項１記載のディジタル信号受信装置。
【請求項３】
ブロック誤り訂正符号を用いて伝送されるディジタル信号を受信するディジタル信号受信システムにおいて、
複数のアンテナと、前記複数のアンテナで受信されたディジタル信号を復調して複数のディジタルストリームを作成する複数の復調部と、
前記複数のディジタルストリーム間で同期するブロックにおいて、前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有し、
前記復調部及び前記ストリーム合成部は、各々ネットワークと接続するための双方向インタフェースを有し、
前記復調部及び前記ストリーム合成部間で双方向通信を行うことで、前記複数のディジタルストリームを同期させることを特徴とするディジタル信号受信システム。
【発明の詳細な説明】
【０００１】
【発明の属する技術分野】
本発明は、ディジタル信号受信装置、及びディジタル信号受信システムに関する。
【０００２】
【従来の技術】
従来、ディジタル信号を伝送する際、雑音等の伝送妨害による誤りの発生を防止するために、送信する元の情報を誤り符号化して送出する方法が多くのシステムで用いられてる。
【０００３】
例えば、日本や欧州のディジタルテレビジョン放送規格では、元のディジタルストリーム（ＭＰＥＧ−２規格のトランスポートストリーム）をリードソロモン符号と畳み込み符号との連接符号により誤り訂正符号化して伝送している。
【０００４】
ここで、リードソロモン符号とは、ブロック符号であり、ＭＰＥＧ−２規格のトランスポートストリームを構成する１８８バイトのトランスポートストリームパケット（以下、ＴＳパケットという）に１６バイトのパリティバイトを付加した、合計２０４バイトの符号語となっている。
【０００５】
また、一方では、受信特性を改善することで、伝送妨害による誤りの発生を防止することが考えられている。
【０００６】
この方法としては、ダイバーシティ受信技術が挙げられる。
【０００７】
このタイバーシティ受信技術は、図４に示すように、例えば移動体通信において、移動体端末に複数のアンテナを設け、それぞれが受信した受信波のうち、包絡線レベルが最大のものを選択するよう構成するものである。
【０００８】
【発明が解決しようとする課題】
しかしながら、通常のダイバーシティ受信においては、複数のアンテナ出力を受信装置に入力するよう構成されているため、アンテナ出力のような高周波の信号を受信するには、それぞれのアンテナと受信装置とを接続するケーブルを短くする必要がある。
【０００９】
これは、乗用車等である場合、通常、アンテナが左右両側に配置されるため、それぞれのアンテナと受信装置とを比較的近傍に配置することが可能であるため、問題とならないが、例えば、電車等において、アンテナを最前部と最後尾とに設けた場合、それぞれのアンテナと受信装置との距離が離れているため、それぞれを接続するケーブルを長くする必要がある。
【００１０】
このため、アンテナ出力のような高周波の信号を伝送する場合、信号の減衰や妨害信号の混入などの問題が生じる。
【００１１】
従って、本発明は、上記問題に鑑みなされたもので、受信した信号の誤りを減少させることを可能とするディジタル信号受信装置、及びディジタル信号受信システムを提供することを目的とする。
【００１２】
【課題を解決するための手段】
係る目的を達成するために、請求項１記載の発明は、ブロック誤り訂正符号を用いて伝送されるディジタル信号を受信するディジタル信号受信装置において、複数のアンテナと、前記複数のアンテナで受信されたディジタル信号を復調して複数のディジタルストリームを作成する複数の復調部と、前記複数のディジタルストリームを同期させるストリーム同期部と、前記複数のディジタルストリーム間で同期するブロックにおいて、前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有することを特徴としている。
【００１７】
これにより、請求項１記載の発明では、受信した信号の誤りを減少させることが可能となる。更に、請求項１記載の発明では、ディジタルストリームがアンテナ出力と比較して、低周波であるため、復調部からストリーム合成部までの長距離伝送が容易である。
【００１８】
更に、請求項２記載の発明は、復調部が、ディジタルストリームと共に、フレーム同期信号、ブロック同期信号、のいずれか１つ以上を出力し、ストリーム同期部が、フレーム同期信号、ブロック同期信号、ディジタルストリームのいずれか１つ以上に基づいて、複数のディジタルストリームを同期させることを特徴としている。
【００１９】
これにより、請求項２記載の発明では、受信した信号の誤りを減少させることが可能となる。更に、請求項２記載の発明では、ディジタルストリームがアンテナ出力と比較して、低周波であるため、復調手段からストリーム合成手段までの長距離伝送が容易である。
【００２０】
また、請求項３記載の発明は、ブロック誤り訂正符号を用いて伝送されるディジタル信号を受信するディジタル信号受信システムにおいて、複数のアンテナと、前記複数のアンテナで受信されたディジタル信号を復調して複数のディジタルストリームを作成する複数の復調部と、前記複数のディジタルストリーム間で同期するブロックにおいて、前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有し、前記復調部及び前記ストリーム合成部は、各々ネットワークと接続するための双方向インタフェースを有し、前記復調部及び前記ストリーム合成部間で双方向通信を行うことで、前記複数のディジタルストリームを同期させることを特徴としている。
【００２１】
これにより、請求項３記載の発明では、受信した信号の誤りを減少させることが可能となる。更に、請求項３記載の発明では、ディジタルストリームがアンテナ出力と比較して、低周波であるため、復調部からストリーム合成部までの大規模ネットワークを介した長距離伝送が容易である。
【００２２】
【発明の実施の形態】
〔本発明の特徴〕
本発明は、受信した信号の誤りを減少させるためのものである。そこで、本発明では、アンテナと信号の復調部とのセットを複数設け、復調後の複数のディジタルストリームを合成するよう構成する。これにより、本発明では、受信特性が改善される。
【００２３】
以下、本発明を好適に実施した形態について、図面を用いて詳細に説明する。
【００２４】
〔第１の実施形態〕
まず、本発明の第１の実施形態について、以下に説明する。
【００２５】
図１は、本実施形態によるディジタル信号受信装置の構成を示すブロック図である。
【００２６】
図１を参照すると、本実施形態によるディジタル信号受信装置は、複数（Ｎ個：Ｎは２以上）のアンテナ１１，１２，…，１Ｎと、このアンテナ各々に設けられ、対応するアンテナより受信した受信波を復調する復調部２１，２２，…，２Ｎと、復調部２１，２２，…，２Ｎより出力されたＮ個のディジタルストリーム１，２，…，Ｎに対して同期を図るストリーム同期部３０と、同期が図られたディジタルストリーム１，２，…，Ｎに含まれる各ブロックにおいて、相互に対応するブロックのうち、１つでも正しい（誤りのない）ブロックが存在する場合、この正しいブロックを出力し、正しいブロックが１つも存在しない場合、いずれか１つを選択して出力することで、１連のディジタルストリームを構成して出力するストリーム合成部４０と、を有している。
【００２７】
ここで、ストリーム合成部４０は、相互に対応するブロックのうち、１つも正しいブロックが存在しない場合に出力するブロックを、特定の復調部において復調されたブロックに限定することも、任意の復調部において復調されたブロックとすることも可能である。これは、例えば、特定の復調部において復調されたブロックを入力するよう構成することも、前のブロックを出力した復調部から出力されたブロックを入力するよう構成することも、各復調部より出力されたディジタルストリームにおいて誤りのあるブロックが含まれる割合を、各復調部毎に求め、この割合が最も低い復調部から出力されたブロックを選択するよう構成することも可能である。更に、復調部２１，２２，…，２Ｎに順序性をもたせ、これをラウンドロビン的、又は、前に入力したブロックを復調した復調部の次以降をラウンドロビン的に参照、判断して入力するよう構成することも可能である。但し、この場合、本実施形態では、復調部２１が順序的に先頭であり、復調部２Ｎが順序的に最後尾であり、復調部２Ｎの次は復調部２１に帰還して参照するよう構成するとよい。更に、この構成の他の構成としては、復調部２１，２２，…，２Ｎに優先度を割り当て、この優先度の高い順に選択する構成等が考えられる。
【００２８】
また、受信されるディジタルストリームは、各々ブロック誤り訂正符号化されているため、復調部２１，２２，…，２Ｎにおいて復調されたディジタルストリーム１，２，…，Ｎそれぞれは、誤り訂正され、それぞれのブロックが正しいか、誤りを含む（正しく訂正できなかった）かを識別できるよう構成されている。
【００２９】
ここで、誤りを含むか否かを識別するための構成を、ディジタル方法を例に挙げて説明する。
【００３０】
ディジタル放送の場合、ディジタルストリームを構成するＴＳパケットは、図２に示すよう構成されている。
【００３１】
この構成において、ヘッダー部（‘header’）における‘transport error indicator’は『誤り指標』であり、各ＴＳパケットにおいて誤りが含まれる場合には、これに「１」が復調部において示され、誤りが含まれない場合には、「０」が復調部において示される。
【００３２】
従って、本実施形態では、ブロックにおける誤りを含むか否かの識別に、この‘transport error indicator（誤り指標）’を用いるものとする。
【００３３】
また、復調部２１，２２，…，２Ｎから出力されたＮ個のディジタルストリーム１，２，…，Ｎは、ストリーム同期部３０に入力される。
【００３４】
但し、各復調部の処理時間やストリーム同期部までの伝送時間が異なるため、ストリーム同期部３０には、異なるタイミングで各ディジタルストリーム１，２，…，Ｎが入力される。
【００３５】
従って、ストリーム同期部３０では、全てのディジタルストリーム１，２，…，Ｎを同期化し、ストリーム合成部４０へ出力する。
【００３６】
ここで、各ディジタルストリームの同期を図る方法としては、以下に示すような方法が挙げられる。
【００３７】
まず、第１の同期方法としては、各ディジタルストリームにおける全ディジタルデータを比較し、同期を図る。
【００３８】
また、第２の同期方法としては、ブロック同期による方法がとれる場合、まず、ブロック毎の同期を図り、次に、各ブロックの全データ又は一部のデータを比較して、ブロック間の同期を図る。
【００３９】
また、第３の同期方法としては、復調されたディジタルストリームが複数のブロックをまとめたフレーム構造を有する場合、まず、このフレーム毎の同期を図り、次に、各フレームにおける特定のブロック（例えば先頭のブロック等）の全データ又は一部のデータを比較して、ブロック間の同期を図る。
【００４０】
ディジタル放送の場合、上記に挙げた第１の同期方法でも各ブロック間の同期を図ることは可能であるが、ＴＳパケットにおける同期バイトを用いてパケット同期を図ることが可能であるため、パケット同期を取った後、例えばパケット識別（‘PID’：図２参照）と連続性指標（‘continuity counter’：図２参照）の一致を、全て又は一部のパケット間で取ることで、各ディジタルストリーム間の同期を図ることが可能である。
【００４１】
更に、欧州や日本のディジタル放送では、幾つかのＴＳパケットをまとめたフレーム構造を有しているため、第３の同期方法により、まず、各ディジタルストリーム間でフレーム同期を取り、次に、フレーム中の特定パケット、例えばフレームの先頭から幾つかのパケットについて、例えばパケット識別と連続性指標との一致から、パケットの一致を取ることで、各ディジタルストリームの同期を図ることが可能である。
【００４２】
尚、ディジタル放送波の復調同期からディジタルストリームのフレーム同期信号やパケット同期信号を復調することができるため、復調部２１，２２，…，２Ｎからフレーム同期信号やパケット同期信号も合わせてストリーム同期部３０へ出力することで、ストリーム同期部３０の処理の負荷を削減することが可能である。
【００４３】
また、ストリーム合成部４０は、同期が図られて入力されるＮ個のブロックに対し、入力されたブロック中に１つでも正しいものがあれば、この正しいブロックを出力する。これに対し、１つも正しいブロックが存在しない場合、ストリーム合成部４０は、誤りが含まれるブロックのいずれかを出力する。
【００４４】
以上のように、構成、動作することにより、誤りの含まれる確率を低くして、１連のディジタルストリームを構成し、出力することが可能となる。
【００４５】
〔第２の実施形態〕
また、第１の実施形態で例示したディジタル信号受信装置において、ストリーム合成部４０に入力されるディジタルストリームの同期を図る構成は、図３に示すように、各復調部２１，２２，…，２Ｎとストリーム合成部４０とがそれぞれ双方向インタフェースを有し、ＬＡＮやインターネット等のネットワーク７０により接続するよう構成することも可能である。
【００４６】
この構成を以下に第２の実施形態として説明する。
【００４７】
図３を参照すると、本実施形態では、第１の実施形態と同様に、アンテナ１１，１２，…，１Ｎと復調部２１，２２，…，２Ｎとが各々Ｎ個の対を成し、また、各々の復調部２１，２２，…，２Ｎから出力されたディジタルストリームに同期が図られたのち、ストリーム合成部４０に入力されるよう構成されている。
【００４８】
また、本実施形態では、各ディジタルストリームの同期を図る構成として、各復調部２１，２２，…，２Ｎの出力段に各々１つずつ双方向インタフェース５１，５２，…，５Ｎを設け、また、ストリーム合成部４０の入力段に双方向インタフェース６０を設け、これらをネットワーク７０で接続する。
【００４９】
この構成において、各双方向インタフェース５１，５２，…，５Ｎと双方向インタフェース６０とは、双方向通信を行い、復調部２１，２２，…，２Ｎ間の同期が図られる。
【００５０】
また、この双方向通信において、双方向インタフェース６０は、Ｎ個の復調部２１，２２，…，２Ｎの中で正しいブロックを有する復調部が１つでも存在すれば、この正しいブロックを有する復調部のうち、いずれかを選択し、選択した復調部に対応する双方向インタフェースに対して、この正しいブロックを出力させる。これに対して、正しいブロックを有する復調部が１つも存在しない場合、双方向インタフェース６０は、いずれかの復調部を選択し、選択した復調部に対応する双方向インタフェースに対して、誤りを含むブロックを出力させる。
【００５１】
このようにして、双方向インタフェース６０は、誤りの含まれる確率を低くして、１連のブロックをストリーム合成部４０へ入力する。
【００５２】
ここで、各ブロックにおいて誤りが含まれるか否かを判定する方法は、第１の実施形態と同様である。
【００５３】
また、ストリーム合成部４０は、入力された一連のブロックを合成し、一連のディジタルストリームを作成して出力する。
【００５４】
ここで、この動作の具体的な例を、図３を用いて説明する。但し、本例において、双方向インタフェース６０は、全ての同一ブロックに誤りが含まれる場合、復調部２Ｎにおいて復調されたブロックを入力するよう構成されているものとする。
【００５５】
また、図３では、復調部２１において復調されたディジタルストリーム１に含まれるブロックのうち、３と５と７とに誤りが含まれ、これ以外は誤りが含まれないとし、また、復調部２２において復調されたディジタルストリーム２に含まれるブロックのうち、１と５とに誤りが含まれ、これ以外には誤りが含まれないとし、また、復調部２Ｎにおいて復調されたディジタルストリームＮに含まれるブロックのうち、５と８とに誤りが含まれ、これ以外には誤りが含まれないとする。
【００５６】
この構成において、ブロック１から５までが双方向インタフェース６０に入力するまでの動作を以下に説明する。
【００５７】
この動作において、双方向インタフェース６０へは、まず、復調部２１で復調されたブロック１が入力される。次に、このブロック１を復調した復調部２１で復調されたブロック２に誤りが含まれないため、この復調部２１で復調されたブロック２が双方向インタフェース６０へ入力される。
【００５８】
次に、復調部２１で復調されたブロック３に誤りが含まれるため、双方向インタフェース６０は、復調部２１以降をラウンドロビン的に選択する。従って、次に双方向インタフェース６０へ入力されるブロックを復調した復調部は、復調部２２となる。
【００５９】
更に、復調部２２において復調されたブロック４にも誤りが含まれないため、双方向インタフェース６０は、この復調部２２よりブロック４を入力する。
【００６０】
次に、ブロック５については、復調部２１，２２，２Ｎ（復調部２３〜２Ｎ−１を省略する）のいずれで復調されたブロックにおいても誤りが含まれるため、双方向インタフェース６０は、復調部２Ｎで復調された誤りを含むブロック５を固定的に選択して入力する。
【００６１】
このように動作することでストリーム合成部４０へブロック１から５が入力され、ストリーム合成部４０において、これらが合成されて一連のディジタルストリームが作成され、出力される。
【００６２】
〔まとめ〕
以上のように、本発明は、ブロック誤り訂正符号を用いて伝送されるディジタル信号の受信装置において、Ｎ個（Ｎは２以上の整数）のアンテナと復調部とから出力されたＮ個のディジタルストリーム出力の同期を取り、その後、同期が図られて入力されたＮ個のディジタルストリーム各々におけるブロックに対し、入力されたブロック中に１つでも正しいものがあればそれを選択し、１つも正しいブロックがなければいずれかの誤りを含むブロックを選択して、１連のディジタルストリームを構成し、出力するものである。
【００６３】
また、この構成において、復調部が、ディジタルストリームと共にフレーム同期信号やブロック同期信号を出力し、このフレーム同期信号、ブロック同期信号、ディジタルストリームを利用して、複数のディジタルストリーム出力の同期を図ることも可能である。
【００６４】
更に、各復調部とストリーム合成部とを双方向インタフェースにより同期を図りつつ接続するよう構成することも可能である。
【００６５】
このような構成において、復調後のディジタルストリーム（ビットストリーム）は低週波であるため、長距離の伝送が容易となる。
【００６６】
更に、複数の復調部で復調し、１つでも正しい信号を受信できることで、正しいディジタルストリームを作成することが可能となるため、誤りの含まれる割合を少なくすることが可能となり、実質的に受信特性が改善される。
【００６７】
【発明の効果】
以上、説明したように、請求項１記載の発明によれば、ブロック誤り訂正符号を用いて伝送されるディジタル信号を受信するディジタル信号受信装置において、複数のアンテナと、前記複数のアンテナで受信されたディジタル信号を復調して複数のディジタルストリームを作成する複数の復調部と、前記複数のディジタルストリームを同期させるストリーム同期部と、前記複数のディジタルストリーム間で同期するブロックにおいて、前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有することを特徴とし、これにより、受信した信号の誤りを減少させることが可能となる。更に、請求項１記載の発明によれば、ディジタルストリームがアンテナ出力と比較して、低周波であるため、復調部からストリーム合成部までの長距離伝送が容易となる。
【００７０】
更に、請求項２記載の発明によれば、復調部が、ディジタルストリームと共に、フレーム同期信号、ブロック同期信号、のいずれか１つ以上を出力し、ストリーム同期部が、フレーム同期信号、ブロック同期信号、ディジタルストリームのいずれか１つ以上に基づいて、複数のディジタルストリームを同期させることを特徴とし、これにより、受信した信号の誤りを減少させることが可能となる。更に、請求項２記載の発明によれば、ディジタルストリームがアンテナ出力と比較して、低周波であるため、復調手段からストリーム合成手段までの長距離伝送が容易となる。
【００７１】
また、請求項３記載の発明によれば、ブロック誤り訂正符号を用いて伝送されるディジタル信号を受信するディジタル信号受信システムにおいて、複数のアンテナと、前記複数のアンテナで受信されたディジタル信号を復調して複数のディジタルストリームを作成する複数の復調部と、前記複数のディジタルストリーム間で同期するブロックにおいて、前記複数の復調部に予め参照順序を設けておき、ある復調部で誤りを含む際に次以降の復調部を参照していき、誤りを含まないブロックが存在する場合、該誤りを含まないブロックを選択し、前記複数の復調部の全てで誤りを含まないブロックが存在しない場合、特定の復調部で復調されたブロック、前のブロックを出力した復調部から出力されたブロック、及び各復調部より出力されたディジタルストリームにおいて誤りのあるブロックが含まれる割合を各復調部毎に求め、前記割合が最も低い復調部から出力されたブロックのうち、いずれかを選択して、一連のディジタルストリームを作成するストリーム合成部と、を有し、前記復調部及び前記ストリーム合成部は、各々ネットワークと接続するための双方向インタフェースを有し、前記復調部及び前記ストリーム合成部間で双方向通信を行うことで、前記複数のディジタルストリームを同期させることを特徴とし、これにより、受信した信号の誤りを減少させることが可能となる。更に、請求項３記載の発明によれば、ディジタルストリームがアンテナ出力と比較して、低周波であるため、復調部からストリーム合成部までの大規模ネットワークを介した長距離伝送が容易となる。
【図面の簡単な説明】
【図１】本発明の第１の実施形態によるディジタル信号受信装置の構成を示すブロック図である。
【図２】本発明の第１の実施形態で適用するＭＰＥＧ−２のトランスポートストリーム（ＴＳ）の構成を示すブロック図である。
【図３】本発明の第２の実施形態によるディジタル信号受信システムの構成を示すブロック図である。
【図４】従来技術によるダイバーシティ受信装置の構成を示すブロック図である。
【符号の説明】
１，２，…，Ｎ  ディジタルストリーム
１１，１２，…，１Ｎ  アンテナ
２１，２２，…，２Ｎ  復調部
３０  ストリーム同期部
４０  ストリーム合成部
５１，５２，…，５Ｎ、６０  双方向インタフェース
７０  ネットワーク
１００  ダイバーシティ受信装置
【図１】
0004199436.tif 000002
【図２】
0004199436.tif 000003
【図３】
0004199436.tif 000004
【図４】
0004199436.tif 000005